【事件の表示】
　平成　８年特許願第　３４６１６号「複合映像信号処理ＩＣ用垂直同期信号再生回路」拒絶査定不服審判事件〔平成　９年　９月　５日出願公開、特開平　９−２３３３６４、請求項の数（３）〕について、次のとおり審決する。
【結　論】
　原査定を取り消す。
　本願の発明は、特許すべきものとする。
【理　由】
第１　【手続きの経緯、本願発明】
　本願は、平成８年２月２２日の出願であって、その請求項１ないし３に係る発明は、平成１４年７月２９日付け手続補正書により補正された明細書及び図面の記載からみて、その特許請求の範囲の請求項１ないし３に記載された次のとおりのものである。
「【請求項１】　映像信号に含まれる水平・垂直の同期信号のうち、垂直同期信号を分離する垂直同期分離回路において、
　前記水平同期信号に同期した信号を出力する水平発振回路の出力を、分周比の異なる信号に分周して出力する分周回路に入力し、該分周された出力に基づいて７ビットのカウント値を出力するアップ・ダウンカウンタを動作させて、前記アップ・ダウンカウンタでカウントされるカウント値の最上位ビットを再生垂直同期信号として抽出することを特徴とする複合映像信号処理ＩＣ用垂直同期信号再生回路。
　【請求項２】　前記アップ・ダウンカウンタに入力する前記分周回路の出力を、アップとダウンで切り換え、この切り換え状態でそれぞれ時定数の異なる積分効果を持たせたことを特徴とする請求項１記載の複合映像信号処理ＩＣ用垂直同期信号再生回路。
　【請求項３】　映像信号に含まれる水平・垂直の同期信号のうち、垂直同期信号を分離する垂直同期分離回路において、
　前記水平同期信号に同期した信号を出力する水平発振回路と、
　前記水平発振回路の発振信号に基づいて互いに異なる分周比で分周された第１および第２の信号を出力する分周回路と、
　前記第１および第２の信号と前記水平・垂直同期信号を入力し、前記第１の信号に基づいてアップカウントを実行し、前記第２の信号に基づいてダウンカウントを実行して７ビットのカウント値を出力するアップ・ダウンカウンタと、
　前記アップ・ダウンカウンタの出力データに基づいて、前記カウント値が最大値の時に前記アップ・ダウンカウンタのアップカウントを停止する第３の信号を出力し、前記カウント値が０の時に前記アップ・ダウンカウンタのダウンカウントを停止する第４の信号を出力するデコード回路とを備え、
　前記アップ・ダウンカウンタのカウント値の最上位ビットを再生垂直同期信号として出力すること
を特徴とする複合映像信号処理ＩＣ用垂直同期信号再生回路。」
　　　　　　　　　　　　
第２　【引用例】
　１　これに対して、原審の拒絶理由で引用された特開平５−２７６４０７号公報（以下「引用例１」という。）には、「同期信号選択回路」（発明の名称）に関し、図面と共に次のとおりの記載がある。
「複合同期信号から垂直同期信号を分離選択する同期信号選択回路において、複合同期信号のレベルに応じて基準クロックのアップカウント動作またはダウンカウント動作を行うアップダウンカウンタと、前記アップダウンカウンタの出力と第１基準値とを比較する第１比較回路と、前記アップダウンカウンタの出力と第２基準値とを比較する第２比較回路と、第１比較回路および第２比較回路の出力から垂直同期信号を発生する垂直同期信号発生回路とを備えたことを特徴とする同期信号選択回路。」（特許請求の範囲）
　２　同じく引用された特開平７−１７７３７８号公報（以下「引用例２」という。）には、「垂直同期信号分離回路」（発明の名称）に関し、図面と共に次のとおりの記載がある。
「【００１３】アップダウンカウンタ１は、電源ＯＮ時はクリアにてカウンタの出力はオール０になるものとする。また複合同期信号（図２（ａ）に示す）をアップダウンカウンタのアップダウン制御に用いる。すなわち、複合同期信号がハイレベルのときはアップダウンカウンタをダウンカウンタとして動作させ、複合同期信号がロウレベルのときはアップダウンカウンタをアップカウンタとして動作させるものとする。
【００１４】そしてシステムクロックとして、例えば周期７０ｎｓｅｃの繰り返し波形を入力すると複合同期信号がハイの間はダウンカウントし、複合同期信号がロウの間はアップカウントするので図２（ｂ）に示す波形が得られることになり、ある基準値よりも大きくなるとコンパレータ２の出力は０から１に変化する。これによりセレクタ３を基準値１から基準値２に切り替え、アップダウンカウンタの出力のスライス値を変えているのである。ここで、基準値１と基準値２は基準値１＞基準値２の関係があるものとする。基準値１によるスライスの様子を図２（ｂ）の実線５で示し、基準値２によるスライスの様子を図２（ｂ）の実線６で示す。これにより同図の点線４でスライスするよりもノイズの影響を軽減して垂直同期パルスが取り出せることがわかる。同図（ｃ）（ｄ）はそれぞれ点線４および実線５、６でスライスしたときの出力垂直同期信号を示している。」（公報３頁左欄１行ないし２５行）　　　　　　　　　　　　　　　　　　　
　３　同じく引用された特開平５−３７８０８号公報（以下「引用例３」という。）には、「垂直同期分離回路」（発明の名称）に関し、図面と共に次のとおりの記載がある。
「同期の短いクロック信号でアップカウントされる一方、同期の長いクロック信号でダウンカウントされるアップダウンカウンタと、アップダウンカウンタの出力信号が入力されるＤ／Ａ変換器と、同期パルス信号の積分値とＤ／Ａ変換器の出力信号レベルとを比較する比較器と、を備え、比較器の出力信号が垂直同期信号とされるとともに、その出力信号によりアップダウンカウンタのアップカウントまたはダウンカウントの別が判定される、ことを特徴とする垂直同期分離回路。」（特許請求の範囲）　　　　　　
　４　同じく引用された特開平２−１６５７８７号公報（以下「引用例４」という。）には、「磁気記録再生装置の同期分離回路」（発明の名称）に関し、図面と共に次のとおりの記載がある。
「（１）光電変換素子によって得られたアナログ映像信号をＡＤコンバータによてＡＤ変換し、該ＡＤコンバータのディジタル出力をＦＭ変調し、磁気ヘッドによって磁気テープにＦＭ波を磁気記録し、磁気ヘッドで前記磁気テープに記録された映像信号を再生する磁気記録再生装置において、前記磁気テープに記録されたＦＭ信号をＦＭ復調器にて復調した映像データが加えられるディジタルコンパレータと、互に周波数が異なる第１のクロック信号及び第２のクロック信号が加えられるゲート回路と、前記ゲート回路の出力が加えられるアップダウンカウンタとを備え、前記アップダウンカウンタ出力と映像データとを前記ディジタルコンパレータによって比較した比較出力を前記ゲート回路に加えて前記第１及び第２のクロック信号の切換制御を行い、前記ディジタルコンパレータの出力端より同期信号を導出することを特徴とした磁気記録再生装置の同期分離回路。」（特許請求の範囲第１項）
　５　同じく引用された実願昭６１−１６００５２号（実開昭６３−６８２５９号）のマイクロフィルム（以下「引用例５」という。）には、「同期信号検出回路」（考案の名称）に関し、図面と共に次の（１）、（２）のとおりの記載がある。
 （１）「第１図において１１は例えば１６進のアップ／ダウンカウンタで、そのアップ信号入力端子Ｕには信号ライン１０により送られてくる複合同期信号Ｃ−Ｓｙｎｃがクロックパルスφ１と共にアンド回路１２及びノア回路１３を直列に介して入力され、ダウン信号入力端子Ｄにはインバータ１４により反転された複合同期信号Ｃ−Ｓｙｎｃがクロックパルスφ２と共にアンド回路１５及びノア回路１６を直列に介して入力される。そして、上記アップ／ダウンカウンタ１１は、４ビットの出力端子Ａ、Ｂ、Ｃ、Ｄを備えており、その各出力信号はアンド回路１７を介してノア回路１３に入力されると共に、インバータ１８〜２１及びアンド回路２２を介してノア回路１６に入路される。そして、アップ／ダウンカウンタ１１の出力端子Ｃ、Ｄから出力される信号が、アンド回路２３を介して同期検出信号として取出される。すなわち、アップ／ダウンカウンタ１１のカウント値が「１２」以上の時にアンド回路２３を介して同期検出信号が出力される。」（明細書５頁１行ないし１９行）
（２）「第２図（ｆ）〜（ｉ）は、アップ／ダウンカウンタ１１が初期状態からカウント動作を開始した時の端子Ａ、Ｂ、Ｃ、Ｄにおける信号出力状態の変化を示したものである。そして、上記複合同期信号Ｃ−Ｓｙｎｃが第３図に示すように３周期入力され、アップ／ダウンカウンタ１１のカウント値が「１２」、つまり、端子Ｃ、Ｄの出力が共に“１”になると、アンド回路２３の出力がハイレベルとなり、同期検出信号が出力される。」（明細書８頁１行ないし１０行）　　　　
　　　　　　　　　　　　　　　　　　　
第３　【当審の判断】
　１　［請求項１について］
（１）本願の請求項１に係る発明と引用例１に記載の発明とを対比すると、引用例１に記載の発明は、複合同期信号のレベルに応じて一つの基準クロックでアップダウンカウンタのアップカウント動作またはダウンカウント動作を行い、そのアップダウンカウンタの出力と第１基準値および第２基準値とを比較し、その比較出力から垂直同期信号を分離するものであり（引用例１の上記記載参照）、本願の請求項１に係る発明のように異なるクロックに基づいてアップ・ダウンカウンタを動作させ時定数の異なる積分効果を持たせ、それによってアップ・ダウンカウンタのカウント値の最上位ビットを直接、再生垂直同期信号として抽出できるようにしたものではない。すなわち引用例１には、本願の請求項１に係る発明の主要な事項である「前記水平同期信号に同期した信号を出力する水平発振回路の出力を、分周比の異なる信号に分周して出力する分周回路に入力し、該分周された出力に基づいて７ビットのカウント値を出力する」アップ・ダウンカウンタを動作させて、前記アップ・ダウンカウンタでカウントされるカウント値の「最上位ビット」を再生垂直同期信号として抽出する点の構成（以下「構成Ａ」という。）については何も記載がなく、示唆もない。
（２）本願の請求項１に係る発明と引用例２に記載の発明とを対比すると、引用例２に記載の発明は、一つのシステムクロック、複合同期信号を入力しアップダウンカウンタをカウンタを動作させ、そのアップダウンカウンタの出力を基準値１または基準値２と比較し、垂直同期信号を分離するものであり（引用例２の上記記載参照）、本願の請求項１に係る発明のように異なるクロックに基づいてアップ・ダウンカウンタを動作させ時定数の異なる積分効果を持たせ、それによってアップ・ダウンカウンタのカウント値の最上位ビットを直接、再生垂直同期信号として抽出できるようにしたものではなく、引用例２にも、本願の請求項１に係る発明の上記構成Ａについては何も記載がなく、示唆もない。
（３）本願の請求項１に係る発明の上記構成Ａに関連して、引用例３には、同期の短いクロック信号と同期の長いクロック信号をアップダウンカウンタに入力しカウント動作させること（引用例３の上記記載参照）、また引用例４には、周波数が互いに異なるクロック信号でアップダウンカウンタを動作させることは、それぞれ記載されているが（引用例４の上記記載参照）、それら引用例３、４のいずれのアップダウンカウンタも、複合同期信号の垂直同期部分のレベル差に応じて時定数の異なる積分効果持たせることにより、そのアップダウンカウンタのカウント値の最上位ビットを直接、再生垂直同期信号として抽出するものではなく、引用例３、４にも、本願の請求項１に係る発明の上記構成Ａが示されているとはいえない。さらに引用例５には、異なるクロックパルスφ１、φ２によりアップ／ダウンカウンタを動作し、アップ／ダウンカウンタのカウント値が「１２」、つまり上位２ビットから同期信号の有無を検出することが記載されており（引用例５の上記（１）、（２）の記載参照）、本願の請求項１に係る発明の上記構成Ａの一部は示されているといえるが、引用例５に記載の発明は、専ら同期信号の有無を検出する技術であり、引用例１、２に記載の発明の垂直同期信号の分離（抽出）に適用することは困難である。
　よって、本願の請求項１に係る発明は、上記各引用例の記載内容を組み合わせても容易になし得るとはいえない。
（４）そして、本願の請求項１に係る発明は、上記構成Ａを採用することによって「垂直同期再生回路は、垂直同期信号を取り出すために必要な時定数を、アップ・ダウンカウンタを用いたデジタル回路で構成したので、時定数ばらつきがなく、回路が発生するノイズや回路間の相対ばらつきもないので、極めて簡単な構成で、非常に安定度の高い垂直同期信号を得ることができる。」（明細書の【発明の効果】欄の記載）等の明細書記載の顕著な効果を奏するものと認められる。
　したがって、本願の請求項１に係る発明は、上記各引用例に記載の発明から容易になし得たものとすることはできない。　　
　２　［請求項２について］
　本願の請求項２に係る発明は、請求項１を引用して、さらに限定事項を付加するものであり、上記１で検討したことと同様の理由で、上記各引用例に記載の発明から容易になし得たものとすることはできない。
　３　［請求項３について］
　本願の請求項３に係る発明は、請求項１の構成を含み、さらに限定事項を付加したものであり、上記１で検討したことと同様の理由により、上記各引用例に記載の発明から容易になし得たものとすることはできない。　　　
　　　　　　　　　　　　　　　　　　　　　　　　
第４　【むすび】
　以上のとおりであるから、本願の請求項１ないし３に係る発明が上記各引用例に記載された発明に基づいて当業者が容易に発明をすることができたという原査定の理由によっては本願を拒絶することはできない。
　また、他に本願を拒絶すべき理由を発見しない。
　よって、結論のとおり審決する。